(57)【要約】【課題】引き伸ばし可能にコンパクトに収納することができ、任意の場所に移動して利用できる太陽光発電装置を提供する。【解決手段】電気的に接続された多数の薄膜の太陽発電モジュールを配設して巻き取り又は折りたたみ可能の太陽光発電シートを形成し、この太陽光発電シートを移動可能なケースに引き出し可能に収納する。ケースから引き出した太陽発電モジュールに照射される太陽光から電気エネルギーが生成させるようにする。得られた電気エネルギーを電力として供給する電気制御装置を設ける。【選択図】図１
2006086203.tif 000002
【特許請求の範囲】
【請求項１】
電気的に接続した多数のシート状太陽発電モジュールを備えた太陽光発電シートを、移動可能なケースに引き伸ばし可能に収納し、ケースから引き伸ばした太陽発電モジュールに照射される太陽光から電気エネルギーを生成させる太陽光発電装置本体と、得られた電気エネルギーを利用電力として供給する電気制御装置を備えたことを特徴とする太陽光発電装置
【請求項２】
前記太陽光発電装置本体が、多数のシート状発電モジュールを配設した巻き取り可能な一連のシートからなり、ケース内のドラムに巻き取って引き伸ばし可能に収納される構造であることをさらに特徴とする請求項１記載の太陽光発電装置
【請求項３】
前記太陽光発電装置本体が、短冊状に形成した多数のシート状太陽発電モジュールを、隙間を設けて連設した巻き取り又は折りたたみ可能な一連のブラインド状シートからなり、ケース内に巻き取り又は折りたたんで引き伸ばし可能に収納される構造であることをさらに特徴とする請求項１記載の太陽光発電装置
【発明の詳細な説明】
【技術分野】
【０００１】
本発明は移動が容易で太陽発電モジュールをコンパクトに収納することができる太陽光発電装置に関する。
【背景技術】
【０００２】
太陽発電モジュール等の太陽発電素子を利用した発電装置は無公害・無尽蔵の資源を利用したエネルギー供給装置として注目され、種々の研究が進められている。
使用される発電モジュールも、従来の固形のものからミリ単位のシート状あるいはフイルム状のものが実用化されつつある。
【発明の開示】
【発明が解決しようとする課題】
【０００３】
従来の太陽光発電装置は住宅の屋根やビルの屋上、壁などに太陽発電モジュールを固定し、照射された太陽光エネルギーを電気エネルギーに変換している。従って、太陽発電モジュールを移動させたり、受光向きを変えたりすることができないため、日中の受光時間が限られ、太陽光を効率的に利用できないという問題がある。また、装置が大型で小回りがきかない、といった制約もあった。
【０００４】
従って、本発明の目的は、コンパクトに収納して運搬や位置変えが容易で、窓のブラインドや日除けシートとしても利用ができる応用範囲の広い太陽光発電装置を提供することにある。
【課題を解決するための手段】
【０００５】
上記目的を達成するために、本発明の太陽光発電装置は、電気的に接続した多数のシート状又はフイルム状太陽発電モジュールを備えた太陽光発電シートを、移動可能なケースに引き伸ばし（引き出し）可能に収納し、ケースから引き伸ばした太陽発電モジュールに照射される太陽光から電気エネルギーを生成させる太陽光発電装置本体と、得られた電気エネルギーを利用電力として供給する電気制御装置を備えたことを特徴とする。
【０００６】
上記太陽光発電装置本体は、多数のシート状又はフイルム状発電モジュールを配設した巻き取り可能な一連のシートで太陽光発電シートを構成し、ケース内のドラムに巻き取って引き伸ばし可能に収納される構造でもよく、また、短冊状に形成した多数のシート状太陽発電モジュールを、隙間を設けて連設した巻き取り又は折りたたみ可能な一連のブラインド状シートで太陽光発電シートを構成し、ケース内に巻き取り又は折りたたんで引き伸ばし可能に収納される構造でもよい。
【発明の効果】
【０００７】
本発明は、巻き取り又は折りたたみが可能なシート状又はフイルム状の太陽発電素子（発電モジュールなど）を使用した太陽光発電シートを、引き伸ばし可能な巻き取り又は折りたたみケースに収納して使用することができるので持ち運びが容易であり、太陽光照射方向に合わせて移動させることにより終日利用することができる。また、直射日光を避けるブラインドや日除け、車の遮光、遮熱シートとして利用しながら太陽光電力を得ることができ、利用、応用範囲が著しく拡張する。
【発明を実施するための最良の形態】
【０００８】
以下、本発明の実施例を添付図面に基づいて説明する。
図１は本発明の実施例を示すもので、この実施例の太陽光発電装置１は、薄いシート又はフイルム状の太陽発電モジュール２を配設した太陽光発電シート３と、この太陽光発電シート３を収納するケース４を備えた太陽光発電装置本体５と、この太陽光発電装置本体５の太陽発電モジュール２から得られた電気エネルギーを利用可能な電力として供給する電気制御装置６を備えている。
【０００９】
図１の実施例の太陽光発電装置本体５は、多数の太陽発電モジュール２を電気的に接続して配設した太陽光発電シート３に形成し、この太陽光発電シート３を移動可能な巻き取りドラム７に引き伸ばし可能に巻き取るケース４に収納し、ドラム７から引き出した太陽光発電シート３の太陽発電モジュール２に照射された太陽光エネルギーを電気エネルギーに変換するものである。なお、符号８は太陽光発電シート３の先端係止部材であり、符号９はドラム６を回転させて太陽光発電シート３を巻き取る巻取り手段であり、巻取り手段９は電動でも手動でもよい。
【００１０】
太陽光発電装置本体５の太陽発電モジュール２によって得られた電力はケーブル１０を介して、電気制御装置６に送られる。電気制御装置６は接続箱１１、パワーコンディショナー１２、蓄電池１３等を具備し、太陽発電モジュール２で発電した電力を接続箱１１で集めてパワーコンディショナー１２に送り、直流―交流変換などの電気制御を行った後、目的の器機（図は省略）に電力を具備するとともに、蓄電池１３に貯えて使用できるようにしてある。
【００１１】
図２は本発明の他の実施例を示すもので、この実施例の太陽光発電装置本体５の太陽光発電シート３は短冊状に形成したシート又はフイルム状の多数の太陽発電モジュール２を隙間を設けて電気接続手段を兼ねた吊りケーブル１４で一連に接続するとともに、一連の太陽発電モジュール２群をドラム７で巻き上げながらケース４内に折りたたんで収納するようにしたものである。
【００１２】
このように、図２の実施例は短冊状の太陽発電モジュール２群を隙間を介して接続したことにより、折りたたんで収納できるようにしたものである。これは主として、収納の際、太陽発電モジュールに変形などによる不都合が生じないようにすることが目的であるが、巻き取り収納にも適している。その他の構成は図１の実施例と同様であり、同一符号は同じ部材を示している。
【産業上の利用可能性】
【００１３】
シート状又はフイルム状の太陽発電モジュールを使用して太陽光発電装置本体を、巻き取り、折りたたみ可能にしたことにより、コンパクトに収納でき、簡単に移動して使用できるので建物の壁、窓のブラインド、日除けシートなど、従来は想像されなかった広い分野に太陽光発電技術を普及させて簡便に利用することができるとともに、移動して使用することにより太陽光を終日にわたり有効利用できる。
【図面の簡単な説明】
【００１４】
【図１】本発明の実施例による太陽光発電装置の概略構成図
【図２】本発明の他の実施例による太陽光発電装置の概略構成図
【符号の説明】
【００１５】
１…太陽光発電装置
２…太陽発電モジュール
３…太陽光発電シート
４…ケース
５…太陽光発電装置本体
６…電気制御装置
７…巻き取りドラム
８…係止部材
９…巻取り手段
１０…ケーブル
１１…接続箱
１２…パワーコンディショナー
１３…蓄電池
１４…吊りケーブル
【図１】
2006086203.tif 000003
【図２】
2006086203.tif 000004